(57)【特許請求の範囲】
【請求項１】
複数のパブリッシャーの複数のコンテンツサービスを登録して提供するサービス提供システムのサービス提供ページへのリンクを表示するリンク表示部と、
ユーザが前記サービス提供ページへのリンクを選択すると、前記ユーザを前記サービス提供システムの前記サービス提供ページに接続するページ接続部と、
を備え、
前記リンク表示部は、前記ユーザがコンテンツサービスに対応する検索語及び／又はコンテンツサービスのカテゴリーと関連する検索語で検索を行った場合、前記ユーザの検索に対応する検索結果に前記サービス提供ページへのリンクを上位に表示するか、又は、前記ユーザが属するコミュニティに加入したコミュニティ利用者に前記サービス提供ページへのリンクを表示し、前記サービス提供ページを介して提供されるコンテンツサービスと関連する少なくとも１つの付加情報を前記ユーザに提供することを特徴とするユーザチャネル提供システム。
【請求項２】
ユーザトラフィックを受信してユーザの誘導を行うユーザ誘導部をさらに備え、
前記リンク表示部は、前記ユーザトラフィックを介して誘導した前記ユーザにサービス提供ページへのリンクを表示することを特徴とする請求項１に記載のユーザチャネル提供システム。
【請求項３】
前記ユーザトラフィックは、前記ユーザの検索または前記ユーザのコミュニティ活動のうち少なくとも１つを含むことを特徴とする請求項２に記載のユーザチャネル提供システム。
【請求項４】
前記ページ接続部は、前記サービス提供ページへのリンクを表示するドメインに対するユーザのドメイン加入情報を用いて前記ユーザをサービス提供ページに接続することを特徴とする請求項１に記載のユーザチャネル提供システム。
【請求項５】
前記サービス提供ページを介してコンテンツを用いたユーザ当たり金額を前記パブリッシャーに課金する課金部をさらに備えることを特徴とする請求項１に記載のユーザチャネル提供システム。
【請求項６】
複数のパブリッシャーから複数のコンテンツサービスが登録されるサービス登録部と、
前記登録されたコンテンツサービスをサービス提供ページを介してユーザに表示するサービス表示部と、
ユーザが前記表示したコンテンツサービスのうちいずれか１つのコンテンツサービスを選択すると、前記ユーザを前記選択されたコンテンツサービスと関連するパブリッシャーに接続するパブリッシャー接続部と、
を備え、
前記サービス表示部は、ユーザチャネル提供システムでの検索またはコミュニティ活動のうち少なくとも１つを介して表示される前記サービス提供ページへのリンクを介して前記サービス提供ページに接続したユーザに前記複数のコンテンツサービスを表示し、
前記サービス提供ページへのリンクは、前記サービス提供ページを介して提供されるコンテンツサービスと関連する少なくとも１つの付加情報と共に表示されることを特徴とするサービス提供システム。
【請求項７】
前記サービス提供ページへのリンクは、前記ユーザが前記コンテンツのカテゴリーと関連する検索語で検索を行った場合、前記検索語に対する検索結果に優先的に表示されることを特徴とする請求項６に記載のサービス提供システム。
【請求項８】
前記サービス提供ページへのリンクは、前記ユーザがコンテンツサービスに対応する検索語を介して検索を行った場合、前記コンテンツサービスに対する検索結果に付加的に表示されることを特徴とする請求項６に記載のサービス提供システム。
【請求項９】
前記サービス提供ページへのリンクは、前記ユーザが属するコミュニティに加入したコミュニティ利用者に表示されることを特徴とする請求項６に記載のサービス提供システム。
【請求項１０】
複数のパブリッシャーの複数のコンテンツサービスを提供するサービス提供ページへのリンクを表示し、
ユーザが前記サービス提供ページへのリンクを選択すると、前記ユーザをサービス提供ページに接続すること、
を含み、
前記サービス提供ページへのリンクを表示することは、前記ユーザがコンテンツサービスに対応する検索語及び／又はコンテンツサービスのカテゴリーと関連する検索語で検索を行った場合、前記ユーザの検索に対応する検索結果に前記サービス提供ページへのリンクを上位に表示するか、又は、前記ユーザが属するコミュニティに加入したコミュニティ利用者に前記サービス提供ページへのリンクを表示して、前記サービス提供ページを介して提供されるコンテンツサービスと関連する少なくとも１つの付加情報を共に前記ユーザに提供することを含むことを特徴とするユーザチャネル提供方法。
【請求項１１】
ユーザトラフィックを受信してユーザの誘導を行うことをさらに含み、
前記サービス提供ページへのリンクを表示することは、前記ユーザトラフィックを介して誘導した前記ユーザに前記サービス提供ページへのリンクを表示することを特徴とする請求項１０に記載のユーザチャネル提供方法。
【請求項１２】
前記ユーザトラフィックは、前記ユーザの検索または前記ユーザのコミュニティ活動のうち少なくとも１つを含むことを特徴とする請求項１１に記載のユーザチャネル提供方法。
【請求項１３】
前記ユーザをサービス提供ページに接続することは、前記サービス提供ページへのリンクを表示するドメインに対するユーザのドメイン加入情報を用いて前記ユーザを前記サービス提供ページに接続することを特徴とする請求項１０に記載のユーザチャネル提供方法。
【請求項１４】
前記サービス提供ページを介してコンテンツを用いたユーザ当たり金額を前記パブリッシャーに課金を行うことをさらに含むことを特徴とする請求項１０に記載のユーザチャネル提供方法。
【請求項１５】
複数のパブリッシャーから複数のコンテンツサービスが登録され、
前記登録された複数のコンテンツサービスをサービス提供ページを介してユーザに表示し、
前記ユーザが前記表示したコンテンツサービスのうちいずれか１つのコンテンツサービスを選択すると、前記ユーザを前記選択されたコンテンツサービスと関連するパブリッシャーに接続すること、
を含み、
前記登録された複数のコンテンツサービスをサービス提供ページを介してユーザに表示することは、ユーザチャネル提供システムでの検索またはコミュニティ活動のうち少なくとも１つを介して表示される前記サービス提供ページへのリンクを介して前記サービス提供ページに接続したユーザに前記コンテンツサービスを表示することを含み、
前記サービス提供ページへのリンクは、前記サービス提供ページを介して提供されるコンテンツサービスと関連する少なくとも１つの付加情報と共に前記ユーザに表示されることを含むことを特徴とするサービス提供方法。
【請求項１６】
前記サービス提供ページへのリンクは、前記ユーザが前記コンテンツのカテゴリーと関連する検索語で検索を行った場合、前記検索語に対する検索結果に優先的に表示されることを特徴とする請求項１５に記載のサービス提供方法。
【請求項１７】
前記サービス提供ページへのリンクは、前記ユーザがコンテンツサービスに対応する検索語を介して検索を行った場合、前記コンテンツサービスに対する検索結果に付加的に表示されることを特徴とする請求項１５に記載のサービス提供方法。
【請求項１８】
前記サービス提供ページへのリンクは、前記ユーザが属するコミュニティに加入したコミュニティ利用者に表示されることを特徴とする請求項１５に記載のサービス提供方法。
【請求項１９】
請求項１０乃至請求項１８のいずれか１項の方法を実行するためのプログラムが記録されたコンピュータで読み出し可能な記録媒体。
【発明の詳細な説明】
【技術分野】
【０００１】
本発明は、ユーザにコンテンツサービスを提供するシステムおよびその方法に関し、より具体的には、パブリッシャーが提供するコンテンツサービスとユーザとの間を仲介するシステムおよびその方法に関する。
【背景技術】
【０００２】
最近、コンテンツ市場が発達しており、コンテンツを配布するパブリッシャーは、ユーザをコンテンツへ誘導しようとする努力が求められている。大型パブリッシャーの場合はコンテンツサービスに対するユーザの流入量は多いものの、中小型パブリッシャーの場合はコンテンツサービスに対するユーザの流入量が少ない。したがって、中小型パブリッシャーの場合、コンテンツサービスを多くのユーザに提供するために多くの試みが求められている。
【０００３】
一方、検索サービスを提供する検索サイト、カフェ、ブログなどのコミュニティサイトの場合はユーザの流入量が多い。このような検索サイト、コミュニティサイトを活用してパブリッシャーに数多くのユーザを誘導するための方法が要求されている。また、検索サイト、コミュニティサイトを活用する場合、パブリッシャーにどのような形態のマーケティングを行うかといった細部的な方法が要求されている。また、ユーザをパブリッシャーと接続させるための誘引策も要求される。
【発明の概要】
【発明が解決しようとする課題】
【０００４】
本発明は、ユーザトラフィックを介して誘導されるユーザを、パブリッシャーが登録したコンテンツサービスを提供するサービス提供ページに接続させることによって、ユーザとパブリッシャーとの間に仲介を行うシステムおよびその方法を提供する。
【０００５】
本発明は、サービス提供ページへのリンクをユーザの検索結果に優先的に表示することによって、ユーザがサービス提供ページを訪問する可能性を高めることのできるシステムおよびその方法を提供する。
【０００６】
本発明は、サービス提供ページが提供する付加情報をユーザの検索結果と共に表示することによって、ユーザがサービス提供ページを訪問する可能性を高めることのできるシステムおよびその方法を提供する。
【０００７】
本発明は、サービス提供ページへのリンクをコミュニティページといったソーシャルネットワークに提供することによって、多くのユーザがサービス提供ページに訪問できるようにするシステムおよびその方法を提供する。
【０００８】
本発明は、検索結果ページのドメイン加入情報にサービス提供ページを活用できるようにすることによって、ユーザに追加的な加入を求めることなく、ユーザトラフィックを活用することのできるシステムおよびその方法を提供する。
【０００９】
本発明は、サービス提供ページを介して、コンテンツを用いたユーザ当たり金額をパブリッシャーに課金することによって、パブリッシャーに合理的に課金を行うことのできるシステムおよびその方法を提供する。
【課題を解決するための手段】
【００１０】
本発明の一実施形態に係るユーザチャネル提供システムは、少なくとも１つのパブリッシャーのコンテンツサービスを提供するサービス提供ページへのリンクを表示するリンク表示部と、ユーザがサービス提供ページのリンクを選択すると、ユーザをサービス提供ページに接続するページ接続部とを備えてもよい。
【００１１】
本発明の一実施形態に係るユーザチャネル提供システムは、ユーザトラフィックを受信してユーザの誘導を行うユーザ誘導部をさらに備えてもよい。
【００１２】
本発明の一実施形態に係るユーザチャネル提供システムは、サービス提供ページを介して、コンテンツを用いたユーザ当たり金額をパブリッシャーに課金する課金部をさらに備えてもよい。
【００１３】
本発明の一実施形態に係るサービス提供システムは、少なくとも１つのパブリッシャーからのコンテンツサービスが登録されるサービス登録部と、登録されたコンテンツサービスをサービス提供ページを介してユーザに表示するサービス表示部と、ユーザが表示されたコンテンツサービスのうちいずれか１つのコンテンツサービスを選択すると、ユーザを選択されたコンテンツサービスと関連するパブリッシャーに接続するパブリッシャー接続部とを備えてもよい。
【００１４】
本発明の一実施形態に係るユーザチャネル提供方法は、少なくとも１つのパブリッシャーのコンテンツサービスを提供するサービス提供ページへのリンクを表示し、ユーザがサービス提供ページへのリンクを選択すると、ユーザをサービス提供ページに接続することを含んでもよい。
【００１５】
本発明の一実施形態に係るユーザチャネル提供方法は、ユーザトラフィックを受信してユーザの誘導を行うことをさらに含んでもよい。
【００１６】
本発明の一実施形態に係るユーザチャネル提供方法は、サービス提供ページを介してコンテンツを用いたユーザ当たり金額をパブリッシャーに課金することをさらに含んでもよい。
【００１７】
本発明の一実施形態に係るサービス提供方法は、少なくとも１つのパブリッシャーからのコンテンツサービスを登録し、登録されたコンテンツサービスをサービス提供ページを介してユーザに表示し、ユーザが表示したコンテンツサービスのうちいずれか１つのコンテンツサービスを選択すると、ユーザを選択されたコンテンツサービスと関連するパブリッシャーに接続することを含んでもよい。
【発明の効果】
【００１８】
本発明の一実施形態によれば、ユーザトラフィックを介して誘導されるユーザを、パブリッシャーが登録したコンテンツサービスを提供するサービス提供ページに接続させることによって、ユーザとパブリッシャーとの間に仲介を行なうことができる。
【００１９】
本発明の一実施形態によれば、サービス提供ページへのリンクをユーザの検索結果に優先的に表示することによって、ユーザがサービス提供ページを訪問する可能性を高めることができる。
【００２０】
本発明の一実施形態によれば、サービス提供ページが提供する付加情報をユーザの検索結果と共に表示することによって、ユーザがサービス提供ページを訪問する可能性を高めることができる。
【００２１】
本発明の一実施形態によれば、サービス提供ページへのリンクをコミュニティページといったソーシャルネットワークに提供することによって、多くのユーザがサービス提供ページに訪問できるようにすることができる。
【００２２】
本発明の一実施形態によれば、検索結果ページのドメイン加入情報にサービス提供ページを活用できるようにすることによって、ユーザに追加的な加入を要求することなく、ユーザトラフィックを活用することができる。
【００２３】
本発明の一実施形態によれば、サービス提供ページを介してコンテンツを用いたユーザ当たり金額をパブリッシャーに課金することによって、パブリッシャーに合理的に課金を行うことができる。
【図面の簡単な説明】
【００２４】
【図１】本発明の一実施形態に係るパブリッシャーのコンテンツサービスをユーザに提供する過程を説明するための図である。
【図２】ユーザチャネル提供システム及びサービス提供システムの細部構成を示す図である。
【図３】ユーザがコンテンツサービスの名称で検索する場合、ユーザをサービス提供ページに接続する一例を示す図である。
【図４】ユーザがコンテンツサービスのカテゴリーで検索する場合、ユーザをサービス提供ページに接続する一例を示す図である。
【図５】ユーザが「ゲーム」で検索した場合、ユーザをサービス提供ページに接続する一例を示す図である。
【図６】ブログにユーザをサービス提供ページに接続させるためのリンクが表示される一例を示す図である。
【図７】ポータルサイトを介してサービス提供ページへのリンクが表示される一例を示す図である。
【図８】ユーザチャネル提供システムを行う過程を示すフローチャートである。
【図９】サービス提供システムを行う過程を示すフローチャートである。
【発明を実施するための形態】
【００２５】
以下、本発明の実施形態を添付された図面を参照して詳細に説明する。
【００２６】
図１は、本発明の一実施形態に係るパブリッシャーのコンテンツサービスをユーザに提供する過程を説明するための図である。
【００２７】
図１において、ユーザチャネル提供システム１００は、ユーザ１０３のユーザトラフィックを受信してもよい。例えば、ユーザチャネル提供システム１００は、検索またはコミュニティ活動によってユーザトラフィックを受信してもよい。すなわち、ユーザチャネル提供システム１００は、ポータルサイト、検索サイト、またはコミュニティサイトなど複数のユーザが流入するサイトに対応してもよい。
【００２８】
サービス提供システム１０１は、パブリッシャー１０２のコンテンツサービスを収集してユーザ１０３に表示してもよい。本発明の一実施形態によれば、コンテンツサービスとパブリッシャー１０２に対する種類の制限はない。コンテンツサービスがユーザに提供されることのできる形態であれば、いずれのものであってもよい。サービス提供システム１０１に直接ユーザ１０３を誘導してもよく、ユーザチャネル提供システム１００にユーザ１０３を誘導してもよい。サービス提供システム１０１は、このように誘導したユーザ１０３へパブリッシャー１０２のコンテンツサービスを提供してもよい。すなわち、サービス提供システム１０１は、パブリッシャー１０２のコンテンツサービスをユーザ１０３に提供するコンテンツサービスの仲介を行なってもよい。
【００２９】
すると、パブリッシャー１０２は、ユーザチャネル提供システム１００またはサービス提供システム１０１を介して誘導されたユーザトラフィックを活用することによって、コンテンツサービスをユーザにパブリッシングするための別の努力を必要としない。
【００３０】
本発明の一実施形態において、ユーザチャネル提供システム１００とサービス提供システム１０１とは同一の運用主体によって行われてもよく、または提携関係にある２つの運用主体によって行われてもよい。
【００３１】
図２は、ユーザチャネル提供システム１００及びサービス提供システム１０１の細部構成を示す図である。
【００３２】
図２に示すように、ユーザチャネル提供システム１００は、ユーザ誘導部２０１、リンク表示部２０２、ページ接続部２０３、および課金部２０４を備えてもよい。
【００３３】
ユーザ誘導部２０１は、ユーザトラフィックを受信してユーザ１０３の誘導を行なってもよい。一例として、ユーザトラフィックは、ユーザ１０３の検索またはユーザ１０３のコミュニティ活動のうち少なくとも１つを含んでもよい。
【００３４】
リンク表示部２０２は、少なくとも１つのパブリッシャーのコンテンツサービスを提供するサービス提供ページへのリンクを表示してもよい。このとき、リンク表示部２０２は、ユーザトラフィックを介して誘導したユーザ１０３にサービス提供ページへのリンクを表示してもよい。
【００３５】
一例として、リンク表示部２０２は、ユーザ１０３が行った検索結果にサービス提供ページへのリンクを表示してもよい。このとき、リンク表示部２０２は、ユーザ１０３がサービス提供ページへのリンクを選択するようにユーザ１０３の関心を誘導する方法を行なってもよい。すなわち、本発明の一実施形態によれば、ユーザトラフィックを介して誘導したユーザ１０３をサービス提供ページに接続させることのできるチャネルを提供してもよい。
【００３６】
具体的に、リンク表示部２０２は、ユーザ１０３の検索に対応する検索結果にサービス提供ページへのリンクを上位に表示してもよい。すなわち、リンク表示部２０２は、検索結果にサービス提供ページへのリンクを基本的に上位に表示することによって、ユーザ１０３がサービス提供ページへのリンクをクリックできる頻度を増加させることができる。
【００３７】
また、ユーザ１０３がコンテンツサービスのカテゴリーと関連する検索語で検索を行った場合、リンク表示部２０２は、サービス提供ページへのリンクを優先的に表示してもよい。例えば、コンテンツサービスが「ゲーム」カテゴリーに属する場合、ユーザ１０３が検索語として「ゲーム」、「お勧めゲーム」、「人気ゲーム」などを入力すれば、リンク表示部２０２は検索語に対応する検索結果にサービス提供ページへのリンクを上位に表示してもよい。すなわち、リンク表示部２０２は、コンテンツサービスのカテゴリーに対応する検索結果からサービス提供ページへのリンクをユーザ１０３が容易にクリックできる位置に配置してもよい。
【００３８】
また、ユーザ１０３がコンテンツサービスに対応する検索語を介して検索を行った場合、リンク表示部２０２は、コンテンツサービスに対応する検索結果にサービス提供ページへのリンクを付加的に表示してもよい。例えば、ユーザ１０３が「ゲーム」カテゴリーに属するゲームＡで検索を行なったとしても、リンク表示部２０２は、ゲームＡに対応する検索結果にサービス提供ページへのリンクを共に表示してもよい。すなわち、リンク表示部２０２は、ゲームＡに関心を有しているユーザ１０３にサービス提供ページへのリンクを共に表示することによって、ユーザ１０３がゲームＡのパブリッシャーに容易に接近することができる。
【００３９】
また、リンク表示部２０２は、ユーザ１０３が属するコミュニティ（例えば、カフェ、ブログ、個人ホームページ、グループホームページなど）にサービス提供ページへのリンクを表示してもよい。また、リンク表示部２０２は、ユーザ１０３が属するコミュニティに加入したコミュニティ利用者にもサービス提供ページへのリンクを表示してもよい。すなわち、リンク表示部２０２は、コミュニティと関連する複数のユーザ１０３にサービス提供ページへのリンクを表示することによって、複数のユーザ１０３をサービス提供ページへ誘引することができる。
【００４０】
他の一例として、リンク表示部２０２は、サービス提供ページを介して提供されるコンテンツサービスと関連する少なくとも１つの付加情報をユーザ１０３に提供してもよい。例えば、コンテンツサービスがゲームサービスである場合、リンク表示部２０２は、サービス提供ページを介して提供されるコンテンツサービスのゲームの最新ニュース、ゲームお勧め情報、最新レビュー、動画、週間順位、ゲーム選好対象（年齢、性別、地域）などの付加情報をユーザ１０３に提供してもよい。すなわち、リンク表示部２０２は、ユーザにコンテンツサービスと関連する付加情報を介してユーザ１０３に提供することによって、ユーザ１０３に対してサービス提供ページに接続する動機が提供されるようになる。
【００４１】
ページ接続部２０３は、ユーザ１０３がサービス提供ページへのリンクを選択すると、ユーザ１０３をサービス提供ページに接続してもよい。一例として、ページ接続部２０３は、サービス提供ページへのリンクを表示するドメインに対するユーザ１０３のドメイン加入情報を用いて、ユーザ１０３をサービス提供ページに接続してもよい。
【００４２】
例えば、サービス提供ページへのリンクを表示するドメインがＡサイトであり、サービス提供ページがＢサイトに属する場合、ユーザ１０３は、ＡサイトのＩＤを介してＢサイトのサービス提供ページにログインしてもよい。もし、ユーザがＡサイトにログインされた状態である場合、ユーザ１０３は追加的なログインの手続きを行うことなく、Ｂサイトのサービス提供ページにログインすることができる。すなわち、サービス提供ページへのリンクを表示するドメインとサービス提供ページとの間にＩＤ連係が適用され得る。サイト間のＩＤ連係を介してＡサイトに加入したユーザ１０３は、Ｂサイトのサービス提供ページへ容易に誘導することができる。
【００４３】
課金部２０４は、サービス提供ページを介してコンテンツを用いたユーザ当たり金額をパブリッシャー１０２に課金を行なってもよい。このとき、ユーザチャネル提供システム１００とサービス提供システム１０１とが同一の運用主体によって行われる場合、課金部２０４は、ユーザチャネル提供システム１００とサービス提供システム１０１とに誘導した新規ユーザ数に基づいてパブリッシャー１０２に課金を行なってもよい。ユーザチャネル提供システム１００とサービス提供システム１０１とが同一の運用主体によって行われない場合、課金部２０４は、ユーザチャネル提供システム１００に誘導した新規ユーザ数に基づいてパブリッシャー１０２にコンテンツサービスの仲介に対する費用の課金を行なってもよい。
【００４４】
図２に示すように、サービス提供システム１０１は、サービス登録部２０５、サービス表示部２０６、およびパブリッシャー接続部２０７を備えてもよい。
【００４５】
サービス登録部２０５は、少なくとも１つのパブリッシャー１０２からコンテンツサービスが登録されてもよい。
【００４６】
サービス表示部２０６は、登録されたコンテンツサービスをサービス提供ページを介してユーザ１０３に表示してもよい。このとき、サービス表示部２０６は、検索またはコミュニティ活動のうち少なくとも１つを介してサービス提供ページに接続したユーザにコンテンツサービスを表示してもよい。
【００４７】
一例として、サービス提供ページへのリンクは、コンテンツサービスのカテゴリーと関連する検索語で検索を行った場合、検索語に対する検索結果に他のリンクより優先的に表示されてもよい。
【００４８】
また、サービス提供ページへのリンクは、ユーザが属するコミュニティに加入したコミュニティ利用者に表示してもよい。もちろん、サービス提供ページへのリンクはユーザチャネル提供システムに誘導したユーザにも表示されてもよい。
【００４９】
また、サービス提供ページへのリンクは、コンテンツサービスと関連する少なくとも１つの付加情報と共にユーザに表示されてもよい。
【００５０】
ユーザは表示されたサービス提供ページへのリンクを選択することによって、サービス提供ページに接近してもよい。すなわち、サービス提供ページは、ユーザとパブリッシャーとの間に仲介することのできる通路を提供してもよい。
【００５１】
パブリッシャー接続部２０７は、ユーザが表示されたコンテンツサービスのうちいずれか１つのコンテンツサービスを選択すると、ユーザをコンテンツサービスと関連するパブリッシャー１０２に接続してもよい。これにより、ユーザはパブリッシャーが登録したコンテンツサービスを活用することができる。
【００５２】
図３は、ユーザがコンテンツサービスの名称で検索した場合、ユーザをサービス提供ページに接続する一例を示す図である。
【００５３】
ユーザ１０３が「ＡＢＣ」を入力した場合、検索結果ページ３０１は検索結果を表示してもよい。このとき、検索結果ページ３０１は、ユーザチャネル提供システム１００を介してユーザに表示されてもよい。このとき、ユーザは、検索を介して導き出された検索結果ページ３０１に基づいてサービス提供ページ３０２に誘導されてもよい。すなわち、図３は、サービス提供ページ３０２に誘導するためのユーザトラフィックがユーザの検索である場合を表す。
【００５４】
もし、「ＡＢＣ」がゲーム名称である場合、「ＡＢＣ」と関連する検索結果が検索結果ページ３０１を介してユーザに表示されてもよい。このとき、検索結果ページ３０１にＡＢＣと関連するゲームイメージ、ゲーム名、ゲームジャンル、ゲーム流通社のパブリッシャー情報、ゲーム関連情報が共に表示されてもよい。
【００５５】
このとき、検索結果ページ３０１において、「ＧＰ」メニューは、コンテンツサービスを提供するためのサービス提供ページ３０２へのリンクを意味する。ユーザは「ＧＰ」メニューを選択することによって、コンテンツサービスを提供するサービス提供ページ３０２に接続できる。サービス提供ページ３０２に表示された「ＡＢＣ、ＤＥＦ、ＧＨＩ、ＪＫＬ、ＭＮＯ、ＰＱＲ」などはコンテンツサービスを意味する。このようなコンテンツサービスは、複数のパブリッシャーそれぞれが提供したものである。
【００５６】
本発明の一実施形態によれば、ユーザがコンテンツサービスの名称で検索した場合、コンテンツサービスを提供するサービス提供ページ３０２と関連する付加情報も共に表示されてもよい。検索結果ページ３０１から分かるように、サービス提供ページ３０２と関連する付加情報は、コンテンツサービスと関連する「最新ニュース、お勧め情報、利用者情報、選好対象（性別、年齢、地域）、順位変動」などの情報を含んでもよい。このような付加情報は、ユーザが「ＧＰ」メニューを選択するように誘引することができる。図３において示す付加情報は一例に過ぎず、システムの構成によって変更され得る。
【００５７】
ユーザは、サービス提供ページ３０２に接続すれば、サービス提供ページ３０２を介して提供されるコンテンツサービスへのリンクを選択してパブリッシャーのコンテンツサービスを用いることができる。
【００５８】
図４は、ユーザがコンテンツサービスのカテゴリーで検索した場合、ユーザをサービス提供ページに接続する一例を示す図である。
【００５９】
ユーザが「ゲーム」を検索語で入力した場合、ゲームと関連する検索結果が検索結果ページ４０１を介して表示されてもよい。このとき、検索結果ページ４０１は、ユーザチャネル提供システム１００を介してユーザに表示されてもよい。このとき、ユーザは、検索を介して導き出された検索結果ページ４０１に基づいてサービス提供ページ４０２に誘導されてもよい。
【００６０】
このとき、ユーザチャネル提供システム１００は、サービス提供ページ４０２のリンクの「ｈｔｔｐ：／／ＧＰ．ｃｏｍ」に対するリンクを検索結果の最上位に表示してもよい。具体的には、ユーザチャネル提供システム１００は、サービス提供ページ４０２を介して提供されるコンテンツサービスのカテゴリーと関連する検索語によって検索が行われた場合、サービス提供ページ４０２へのリンクを優先的に表示してもよい。したがって、ユーザは「ｈｔｔｐ：／／ＧＡ．ｃｏ．ｋｒ」と「ｈｔｔｐ：／／ＧＢ．ｃｏ．ｋｒ」より最上位に表示されたサービス提供ページ４０２のリンクである「ｈｔｔｐ：／／ＧＰ．ｃｏｍ」を優先的に選択してもよい。
【００６１】
一例として、ユーザチャネル提供システム１００は、サービス提供ページ４０２へのリンクに強制的にクリック数、クリック当たり費用、クエリ入力数などの重み付けを付与して、サービス提供ページ４０２へのリンクを検索結果に最上位に表示させてもよい。
【００６２】
図５は、ユーザが「ゲーム」で検索した場合、ユーザをサービス提供ページに接続する一例を示す図である。
【００６３】
図５を参照すると、ユーザがコンテンツサービスのカテゴリーに関連する検索語で検索した場合、サービス提供ページ５０２へのリンクが検索結果ページ５０１に表示されてもよい。検索結果ページ５０１において、サービス提供ページ５０２のリンクはｈｔｔｐ：／／ＧＰ．ｃｏｍである。もちろん、ユーザをサービス提供ページ５０２に誘引するためにコンテンツサービスと関連する付加情報が共に検索結果ページ５０１に表示されてもよい。また、サービス提供ページ５０２を介して提供され得る多様な情報も検索結果ページ５０１に表示されてもよい。
【００６４】
例えば、コンテンツサービスが「ゲーム」カテゴリーに属する場合、ユーザが検索語で「ゲーム」を入力したと仮定する。すると、少なくとも１つのパブリッシャーがコンテンツサービスを登録したサービス提供ページ５０２へのリンクが検索結果ページ５０１に表示されてもよい。また、ゲーム動画、お勧めゲーム、人気ゲーム、ゲーム優秀利用者、最新イベント、ゲーム順位、新規ゲームなどコンテンツサービスと関連する付加情報も検索結果ページ５０１に表示されてもよい。ここで、コンテンツサービスと関連する付加情報はサービス提供ページ５０２を提供してもよい。
【００６５】
ユーザが検索結果ページ５０１において「ＩＤでゲームする」というメニューを選択すると、検索結果ページ５０１のサイトに加入したＩＤでサービス提供ページ５０２にＩＤ接続してもよい。すなわち、ユーザは、サービス提供ページ５０２を用いるための別途の加入が求められることなく、検索結果ページ５０１のサイトへの加入時のＩＤをそのまま活用することができる。したがって、本発明の一実施形態によれば、サイト間のＩＤ共有によって検索結果ページ５０１のサイトに加入したユーザをサービス提供ページ５０２へ容易に誘引することができる。
【００６６】
図６は、ブログにユーザをサービス提供ページに接続させるためのリンクが表示される一例を示す図である。
【００６７】
図６において、ブログのようなコミュニティページ６０１を示す。ここで、コミュニティは、ブログ、カフェ、小サークルサイト、サークルサイトなど、複数のユーザがグループを形成してコンテンツをアップロードするオンライン上の空間を意味する。このとき、図６から分かるように、コミュニティページは、サービス提供ページ６０２へのリンクとサービス提供ページ６０２へのリンクをクリックできるようにユーザを誘導するユーザ誘導情報とを含んでもよい。
【００６８】
コミュニティに加入したユーザは、コミュニティページ６０１内に含まれたサービス提供ページ６０２へのリンクをクリックすることでサービス提供ページ６０２に訪問することができる。したがって、ユーザは、サービス提供ページ６０２を介してパブリッシャーが提供するコンテンツサービスを用いることができる。
【００６９】
図７は、ポータルサイトを介してサービス提供ページへのリンクが表示される一例を示す図である。
【００７０】
図７は、ポータルサイトのホームページ７０１を示す。ポータルサイトは、数多くのユーザが訪問するサイトであり、検索エンジン、コミュニティ提供、ショッピングサービス提供などの様々なサービスを提供してもよい。
【００７１】
本発明の一実施形態によれば、数多くのユーザが訪問するポータルサイトのホームページ７０１には、サービス提供ページ７０２に接続できる多様なリンクが表示されてもよい。ホームページ７０１の左側上段には、サービス提供ページ７０２のバナーが表示されてもよい。このようなバナーは、サービス提供ページ７０２のＵＲＬがハイパーリンクされ、ユーザがバナーをクリックすればサービス提供ページ７０２を訪問することができる。
【００７２】
また、ポータルサイトのホームページ７０２には少なくとも１つのリンクを提供する領域を含んでもよく、このような領域にサービス提供ページ７０２へのリンクを含んでもよい。また、ポータルサイトのホームページ７０２には、サービス提供ページ７０２が提供するコンテンツサービスに対するコンテンツ情報を提供してもよい。このようなコンテンツ情報は、ユーザがサービス提供ページ７０２へのリンクをクリックできるよう多様なコンテンツを含んでもよい。
【００７３】
図８は、ユーザチャネル提供システムを行う過程を示すフローチャートである。
【００７４】
ユーザチャネル提供システム１００は、ユーザトラフィックを受信してユーザの誘導を行なってもよい（Ｓ８０１）。このとき、ユーザトラフィックは、ユーザの検索またはユーザのコミュニティ活動のうち少なくとも１つを含んでもよい。
【００７５】
ユーザチャネル提供システム１００は、サービス提供ページへのリンクをユーザに表示してもよい（Ｓ８０２）。具体的には、ユーザチャネル提供システム１００は、少なくとも１つのパブリッシャーのコンテンツサービスを提供するサービス提供ページへのリンクを表示してもよい。このとき、ユーザチャネル提供システム１００は、ユーザトラフィックを介して誘導したユーザにサービス提供ページへのリンクを表示してもよい。
【００７６】
一例として、ユーザチャネル提供システム１００は、ユーザの検索に対応する検索結果にサービス提供ページへのリンクを上位に表示してもよい。具体的には、ユーザチャネル提供システム１００は、サービス提供ページへのリンクを上位に表示させることによって、ユーザがサービス提供ページへのリンクを選択する可能性を高めることができる。
【００７７】
他の一例として、ユーザチャネル提供システム１００は、ユーザがコンテンツサービスのカテゴリーと関連する検索語で検索を行った場合、サービス提供ページへのリンクを優先的に表示してもよい。例えば、コンテンツサービスが「映画」と関連するサービスである場合、ユーザが「映画」という検索語を入力して検索すれば、ユーザチャネル提供システム１００は、サービス提供ページへのリンクを上位に表示してもよい。
【００７８】
また他の一例として、ユーザチャネル提供システム１００は、ユーザがコンテンツサービスに対応する検索語を介して検索を行った場合、コンテンツサービスに対する検索結果にサービス提供ページへのリンクを付加的に表示してもよい。
【００７９】
また、ユーザチャネル提供システム１００は、ユーザが属するコミュニティに加入したコミュニティ利用者にサービス提供ページへのリンクを表示してもよい。また、ユーザチャネル提供システム１００は、サービス提供ページを介して提供されるコンテンツサービスと関連する少なくとも１つの付加情報も共にユーザに提供してもよい。
【００８０】
ユーザがサービス提供ページへのリンクを選択すると、ユーザチャネル提供システム１００はユーザをサービス提供ページに接続してもよい（Ｓ８０３）。一例として、ユーザチャネル提供システム１００は、サービス提供ページへのリンクを表示するドメインに対するユーザのドメイン加入情報を用いて、ユーザをサービス提供ページに接続してもよい。
【００８１】
ユーザチャネル提供システム１００は、ユーザの仲介による課金を行なってもよい（Ｓ８０４）。一例として、ユーザチャネル提供システム１００は、サービス提供ページを介してコンテンツを用いたユーザ当たり金額をパブリッシャーに課金してもよい。
【００８２】
図９は、サービス提供システムを行う過程を示すフローチャートである。
【００８３】
サービス提供システム１０１は、少なくとも１つのパブリッシャーからコンテンツサービスが登録されてもよい（Ｓ９０１）。
【００８４】
サービス提供システム１０１は、登録されたコンテンツサービスをサービス提供ページを介してユーザに表示してもよい（Ｓ９０２）。一例として、サービス提供システム１０１は、検索またはコミュニティ活動のうち少なくとも１つを介してサービス提供ページに接続したユーザへコンテンツサービスを表示してもよい。
【００８５】
このとき、ユーザがコンテンツのカテゴリーと関連する検索語で検索を行った場合、サービス提供ページへのリンクは、検索語に対する検索結果に優先的に表示されてもよい。
【００８６】
また、ユーザがコンテンツサービスに対応する検索語を介して検索を行った場合、サービス提供ページへのリンクは、コンテンツサービスに対する検索結果に付加的に表示されてもよい。
【００８７】
また、サービス提供ページへのリンクは、ユーザが属するコミュニティに加入したコミュニティ利用者に表示されてもよい。
【００８８】
また、サービス提供ページへのリンクは、サービス提供ページを介して提供されるコンテンツサービスと関連する少なくとも１つの付加情報と共にユーザに表示されてもよい。
【００８９】
サービス提供システム１０１は、ユーザが表示されたコンテンツサービスのうちいずれか１つのコンテンツサービスを選択すると、選択されたコンテンツサービスと関連するパブリッシャーにユーザを接続してもよい（Ｓ９０３）。
【００９０】
本発明の実施形態に係る方法は、多様なコンピュータ手段を介して実行することができるプログラム命令形態で具現され、コンピュータ読取可能な記録媒体に記録されることができる。ここで、コンピュータ読取可能な媒体は、プログラム命令、データファイル、データ構造などを単独または組み合わせて含むこともできる。コンピュータ読取可能媒体に記録されるプログラム命令は、本発明の目的のために特別に設計されて構成されたものでもよく、コンピュータソフトウェア分野の技術を有する当業者にとって公知であり使用可能なものであってもよい。
【００９１】
上述したように、本発明は、限定された実施形態と図面によって説明したが、本発明は、上記の実施形態に限定されることなく、本発明が属する分野における通常の知識を有する者であれば、このような基材から多様な修正および変形が可能である。
【００９２】
したがって、本発明の範囲は説明された実施形態に限定されたものではなく、後述する特許請求の範囲だけでなく、この特許請求の範囲と均等なものなどによって定められなければならない。
【符号の説明】
【００９３】
１００      ユーザチャネル提供システム
１０１      サービス提供システム
１０２      パブリッシャー
１０３      ユーザ
【図１】
0006043050.tif 000002
【図２】
0006043050.tif 000003
【図３】
0006043050.tif 000004
【図４】
0006043050.tif 000005
【図５】
0006043050.tif 000006
【図６】
0006043050.tif 000007
【図７】
0006043050.tif 000008
【図８】
0006043050.tif 000009
【図９】
0006043050.tif 000010